(57)【特許請求の範囲】
【請求項１】
平面展開状態（Ｍ０）と折畳み状乃至渦巻き状の巻設状態（Ｍ１）に展開巻設自在の通水シート部材（１）を備え、上記平面展開状態（Ｍ０）の上記通水シート部材（１）に洗濯物（Ｌ）を重ねて、上記通水シート部材（１）に上記洗濯物（Ｌ）を巻き込んで保持する洗濯ネットに於て、
上記通水シート部材（１）は、上記巻設状態（Ｍ１）で外端縁を形成する一端縁部（１０）に、幅寸法（Ｗ）が拡大した拡幅部（５）を有し、
上記巻設状態（Ｍ１）で、上記拡幅部（５）の左右側端部（１５）（１５）を側内方へ折返し状として保持する係止手段（１６）を備え、
上記通水シート部材（１）は、上記巻設状態（Ｍ１）で、上記折畳み状乃至渦巻き状を保持する巻設保持手段（２０）を備え、
上記係止手段（１６）は、上記拡幅部（５）の上記左右側端部（１５）（１５）の各々の表て面に形成された面状ファスナーの雄部（１３）と、上記通水シート部材（１）の裏面の側端縁に沿って形成された面状ファスナーの雌部（１４）とを有し、
上記巻設保持手段（２０）は、上記通水シート部材（１）の上記一端縁部（１０）の左右方向中間部に付設された一対の係止ベルト（６）（６）の表て面に形成された面状ファスナーの雄部（７）（７）と、上記通水シート部材（１）の裏面の左右方向中間部に形成された一対の面状ファスナーの雌部（８）（８）とを有し、
上記巻設状態（Ｍ１）で、上記拡幅部（５）の上記左右側端部（１５）（１５）は、上記面状ファスナーの雄部（１３）が、側端縁に沿って形成された上記面状ファスナーの雌部（１４）に取着された第１係止姿勢（Ｐ１）と、上記面状ファスナーの雄部（１３）が、左右方向中間部に形成された上記面状ファスナーの雌部（８）に取着された第２係止姿勢（Ｐ２）とに、切換自在であることを特徴とする洗濯ネット。
【発明の詳細な説明】
【技術分野】
【０００１】
本発明は、洗濯ネットに関する。
【背景技術】
【０００２】
従来、長方形平面状の通水シート部材に洗濯物を重ねて、通水シート部材に洗濯物を巻き込んでロール状に巻設する洗濯ネットが知られている（特許文献１参照）。
【先行技術文献】
【特許文献】
【０００３】
【特許文献１】特開２００７−８９８８９号公報
【発明の概要】
【発明が解決しようとする課題】
【０００４】
しかし、特許文献１記載の洗濯ネットは、ロール状に巻かれた状態で、側端部が開放状であり、洗濯機の槽内での回転によって、側外方へ洗濯物がはみ出てしまうという欠点があった。
また、通水シート部材に付設されたループ状のゴム紐で左右の両端部を締付けているが、洗濯機の槽内でゴム紐が外れてしまうと、通水シート部材がロール状に巻いた状態から解けて（開いて）洗濯物を保持できなくなり、洗濯物の型崩れや洗濯じわが発生することがあった。
【０００５】
そこで、本発明は、側外方へ洗濯物がはみ出てくるのを防止でき、洗濯物を確実に保持できる洗濯ネットを提供することを目的とする。
【課題を解決するための手段】
【０００６】
本発明に係る洗濯ネットは、平面展開状態と折畳み状乃至渦巻き状の巻設状態に展開巻設自在の通水シート部材を備え、上記平面展開状態の上記通水シート部材に洗濯物を重ねて、上記通水シート部材に上記洗濯物を巻き込んで保持する洗濯ネットに於て、上記通水シート部材は、上記巻設状態で外端縁を形成する一端縁部に、幅寸法が拡大した拡幅部を有し、上記巻設状態で、上記拡幅部の左右側端部を側内方へ折返し状として保持する係止手段を備え、上記通水シート部材は、上記巻設状態で、上記折畳み状乃至渦巻き状を保持する巻設保持手段を備え、上記係止手段は、上記拡幅部の上記左右側端部の各々の表て面に形成された面状ファスナーの雄部と、上記通水シート部材の裏面の側端縁に沿って形成された面状ファスナーの雌部とを有し、上記巻設保持手段は、上記通水シート部材の上記一端縁部の左右方向中間部に付設された一対の係止ベルトの表て面に形成された面状ファスナーの雄部と、上記通水シート部材の裏面の左右方向中間部に形成された一対の面状ファスナーの雌部とを有し、上記巻設状態で、上記拡幅部の上記左右側端部は、上記面状ファスナーの雄部が、側端縁に沿って形成された上記面状ファスナーの雌部に取着された第１係止姿勢と、上記面状ファスナーの雄部が、左右方向中間部に形成された上記面状ファスナーの雌部に取着された第２係止姿勢とに、切換自在であるものである。
【発明の効果】
【０００７】
本発明の洗濯ネットによれば、拡幅部の左右側端部を側内方へ折り返した状態で保持して、通水シート部材に巻き込まれた洗濯物が、洗濯時に側外方へはみ出てくるのを防止できる。通水シート部材に洗濯物を巻き込んで確実に保持でき、洗濯物の型崩れや洗濯じわの発生を防止できる。
【図面の簡単な説明】
【０００８】
【図１】本発明に係る洗濯ネットの実施の一形態を示した図であり、（Ａ）は全体の平面図であり、（Ｂ）は要部拡大斜視図である。
【図２】本発明の洗濯ネットの使用状態を示す図であり（Ａ）は平面展開状態の通水シート部材に洗濯物を重ねた状態を示す平面図であり、（Ｂ）は通水シート部材に洗濯物を巻き込んでいる状態を示す斜視図であり、（Ｃ）は巻設状態を示す平面図であり、（Ｄ）は要部拡大斜視図である。
【図３】要部拡大断面図である。
【図４】本発明に係る洗濯ネットの他の実施形態を示す平面図である。
【図５】本発明に係る洗濯ネットの他の実施形態を示す平面図であり、（Ａ）は使用状態の一例を示す平面図であり、（Ｂ）は他の使用状態を示す平面図である。
【発明を実施するための形態】
【０００９】
以下、実施の形態を示す図面に基づき本発明を詳説する。
図１と図２に示すように、本発明の洗濯ネットは、（断面一文字状の）平面展開状態Ｍ０と折畳み状乃至渦巻き状の巻設状態Ｍ１に展開巻設自在の通水シート部材１を備え、平面展開状態Ｍ０の通水シート部材１に洗濯物Ｌを重ねて、通水シート部材１に洗濯物Ｌを巻き込んで保持するよう構成されている。
通水シート部材１は、巻設状態Ｍ１で外端縁を形成する（予定の）一端縁部１０に、幅寸法Ｗが拡大した拡幅部５を有している。通水シート部材１は、巻設方向中間部から巻設状態Ｍ１で内端縁を形成する他端縁部１１にわたって、つまり拡幅部５を除いた部分が、幅寸法Ｗが一定の平面視長方形状に形成されている。通水シート部材１は、拡幅部５の左右側端部１５，１５が側方突出状に形成されている。言い換えると、通水シート部材１は、一端縁部１０に、側端縁から左右両側へ突出する一対の凸片部１５，１５を有している。
【００１０】
図２（Ｄ）に示すように、通水シート部材１は、巻設状態Ｍ１で、拡幅部５の左右側端部１５，１５を側内方へ折返し状として保持する係止手段１６を備えている。
通水シート部材１は、その裏面に、巻設方向中間部に於ける左右側端縁の一部に沿って、面状ファスナーの雌部１４，１４が細長帯状に形成されている。拡幅部５の左右側端部１５，１５の表て面の一部には、面状ファスナーの雄部１３，１３が形成されている。なお、本発明に於て、通水シート部材１の裏面とは、巻設状態Ｍ１で外側にくる面とし、内側にくる面を、通水シート部材１の表て面とする。
図３に示すように、巻設状態Ｍ１で、拡幅部５の左右側端部１５，１５は、面状ファスナーの雄部１３を雌部１４に係止させて折返し状姿勢を維持し、巻設した通水シート部材１の側端部１２を袋状に閉鎖して、通水シート部材１と共に巻設された洗濯物Ｌが側外方へはみ出してくるのを防止している。
【００１１】
図２に示すように、通水シート部材１は、巻設状態Ｍ１で、折畳み状乃至渦巻き状を保持する巻設保持手段２０を備えている。
通水シート部材１は、一端縁部１０の左右方向中間部に一対の係止ベルト６，６が付設され、係止ベルト６，６の表て面の全部又は一部に、面状ファスナーの雄部７，７が形成されている。通水シート部材１の裏面の左右方向中間部には、一対の係止ベルト６，６に対応する一対の面状ファスナーの雌部８，８が巻設方向に沿って並列状に形成されている。図１と図２に示す通水シート部材１は、面状ファスナーの雌部８が、係止ベルト６の帯幅寸法Ｗ１とほぼ同一の幅寸法Ｗ２に設定され、かつ、係止ベルト６の長さ寸法の３倍〜５倍の長さ寸法を有する細長い帯状に形成されている。
【００１２】
図１（Ｂ）に示すように、通水シート部材１は、メッシュ状表て面２とメッシュ状裏面３が多数の弾性線状部４によって連結された立体ネット構造である。
通水シート部材１は、合成樹脂から成り、吸水性が小さく、水を通し易い構造である。なお、図１（Ａ）に示すように、通水シート部材１の周端縁部には、縁巻部９が縫製されている。
【００１３】
上述した本発明の洗濯ネットの使用方法（作用）について説明する。
図２（Ａ）に示すように、通水シート部材１を平面展開状態Ｍ０として載置し、通水シート部材１の表て面に、ズボンやシャツ等の洗濯物Ｌを重ねて置く。
次に、図２（Ｂ）に示すように、洗濯物Ｌがしわにならないように通水シート部材１と洗濯物Ｌを共に巻設し、図２（Ｃ）のように、巻設状態Ｍ１とする。この巻設状態Ｍ１では、通水シート部材１に、複数の折り目が形成されるように一体折畳み状とし、あるいは、丸く包み込むように渦巻き（ロール）状に巻いても良い。次に、通水シート部材１が巻設状態Ｍ１から解けないように、係止ベルト６の面状ファスナーの雄部７を、通水シート部材１の裏面の左右方向中間部の面状ファスナーの雌部８に係止させて、係止ベルト６，６で通水シート部材１を（軽く）締付ける。
次に、図２（Ｄ）に示すように、巻設状態Ｍ１で、拡幅部５の左右側端部１５，１５を側内方へ折返し状として、巻いた通水シート部材１の側端部１２，１２を袋状に形成する。拡幅部５の左右側端部１５，１５は、面状ファスナーの雄部１３を、通水シート部材１の裏面の左右側端縁に形成された面状ファスナーの雌部１４に取着して、折返し状姿勢から開かないように抑えられ、通水シート部材１と共に巻設された洗濯物Ｌが側外方へはみ出るのを防止している。なお、拡幅部５の左右側端部１５，１５を大きく側内方へ折り返して、面状ファスナーの雄部１３を、左右方向中間部に設けた面状ファスナーの雌部８に係止させても良い（図５（Ｂ）参照）。
【００１４】
巻設状態Ｍ１とした通水シート部材１及び洗濯物Ｌを、洗濯機の槽内に投入し、通常の洗濯を行う。この際、巻設した通水シート部材１の外側から内側へスムーズに水が浸透して、洗濯物Ｌがムラなく、かつ、十分に洗浄される。通水シート部材１は、立体ネット構造の弾発力によって、洗濯物Ｌを柔らかく包み込んで、かつ、巻き込んだ状態で保持し、洗濯機の槽内の回転によっても、洗濯物Ｌがはみ出たり片寄ったりせず、かつ、洗濯物Ｌが離脱することなく、型崩れや洗濯じわの発生を防止する。
【００１５】
次に、本発明の洗濯ネットの他の実施形態について説明する。
図４と図５に示すように、平面展開状態Ｍ０と折畳み状乃至渦巻き状の巻設状態Ｍ１に展開巻設自在の通水シート部材１を備え、通水シート部材１は、巻設状態Ｍ１で外端縁を形成する一端縁部１０に、幅寸法Ｗが拡大した拡幅部５を有し、巻設状態Ｍ１で、拡幅部５の左右側端部１５，１５を側内方へ折返し状として保持する係止手段１６を備えている。通水シート部材１は、巻設状態Ｍ１で、折畳み状乃至渦巻き状を保持する巻設保持手段２０を備えている。
通水シート部材１は、一端縁部１０に一対の係止ベルト６，６が付設され、係止ベルト６，６の表て面の全部又は一部に、面状ファスナーの雄部７，７が形成されている。通水シート部材１の裏面の左右方向中間部には、一対の係止ベルト６，６に対応する一対の面状ファスナーの雌部８，８が巻設方向に沿って並列状に形成されている。巻設状態Ｍ１で、係止ベルト６，６は、面状ファスナーの雌部８，８の内端縁に沿って、面状ファスナーの雄部７，７が取着されるように、配設されている。
【００１６】
図４と図５では、面状ファスナーの雌部８が、係止ベルト６の帯幅寸法Ｗ１の１．５倍〜３倍の幅寸法Ｗ２として幅広状に形成されている。
図５（Ａ）のように、巻設状態Ｍ１で、拡幅部５の左右側端部１５，１５を側内方へ比較的小さく折返し状として、面状ファスナーの雄部１３を、通水シート部材１の側端縁に沿って形成された面状ファスナーの雌部１４に取着して、拡幅部５の左右側端部１５を折返し状姿勢に保持することができ、あるいは、図５（Ｂ）のように、拡幅部５の左右側端部１５，１５を側内方へ比較的大きく折返して、面状ファスナーの雄部１３を、通水シート部材１の裏面の左右方向中間部に形成された幅の広い面状ファスナーの雌部８に取着して、拡幅部５の左右側端部１５，１５の折返し状姿勢を維持することもできる。本発明に於て、図５（Ａ）のように、拡幅部５の左右側端部１５，１５に設けた面状ファスナーの雄部１３が、側端縁に沿って形成された一の面状ファスナーの雌部１４に取着された状態を、第１係止姿勢Ｐ１とし、面状ファスナーの雄部１３が、左右方向中間部に形成された面状ファスナーの雌部８に取着された状態を、第２係止姿勢Ｐ２とする。
図５（Ｂ）のように第２係止姿勢Ｐ２とすれば、図５（Ａ）に示す第１係止姿勢Ｐ１と比較して全体の幅寸法Ｗ０を小さくでき、コンパクトに折畳むことができる。また、拡幅部５の左右側端部１５，１５を側内方へ大きく折り返して係止できる為、洗濯物Ｌを確実に保持でき、洗濯物Ｌが側外方へはみ出るのを防止できる。なお、図示省略するが、拡幅部５の左右側端部１５，１５の内の一方を、第１係止姿勢Ｐ１とし、他方を、第２係止姿勢Ｐ２としても良い。
【００１７】
なお、本発明は、設計変更可能であって、図示省略するが、通水シート部材１は、平面視台形状であって良く、巻設状態Ｍ１で、内端縁から外端縁に向けて次第に幅寸法Ｗが拡大するように形成されるも良い。
【００１８】
以上のように、本発明に係る洗濯ネットは、平面展開状態Ｍ０と折畳み状乃至渦巻き状の巻設状態Ｍ１に展開巻設自在の通水シート部材１を備え、上記平面展開状態Ｍ０の上記通水シート部材１に洗濯物Ｌを重ねて、上記通水シート部材１に上記洗濯物Ｌを巻き込んで保持する洗濯ネットに於て、上記通水シート部材１は、上記巻設状態Ｍ１で外端縁を形成する一端縁部１０に、幅寸法Ｗが拡大した拡幅部５を有し、上記巻設状態Ｍ１で、上記拡幅部５の左右側端部１５，１５を側内方へ折返し状として保持する係止手段１６を備えたので、拡幅部５の左右側端部１５，１５を側内方へ折り返した状態で保持し、通水シート部材１に巻き込まれた洗濯物Ｌが、洗濯時に側外方へはみ出てくるのを防止できる。通水シート部材１に洗濯物Ｌを巻き込んで確実に保持でき、洗濯物Ｌの型崩れや洗濯じわの発生を防止できる。
【００１９】
また、上記通水シート部材１は、上記巻設状態Ｍ１で、上記折畳み状乃至渦巻き状を保持する巻設保持手段２０を備えているので、通水シート部材１が折畳み状乃至渦巻き状の巻設状態Ｍ１から解けて開くのを防止でき、洗濯物Ｌを巻き込んだ状態で保持して型崩れや洗濯じわの発生を確実に防止できる。
【００２０】
また、上記係止手段１６は、上記拡幅部５の上記左右側端部１５，１５の各々の表て面に形成された面状ファスナーの雄部１３と、上記通水シート部材１の裏面の側端縁に沿って形成された面状ファスナーの雌部１４とを有し、上記巻設保持手段２０は、上記通水シート部材１の上記一端縁部１０の左右方向中間部に付設された一対の係止ベルト６，６の表て面に形成された面状ファスナーの雄部７，７と、上記通水シート部材１の裏面の左右方向中間部に形成された一対の面状ファスナーの雌部８，８とを有し、上記巻設状態Ｍ１で、上記拡幅部５の上記左右側端部１５，１５は、上記面状ファスナーの雄部１３が、側端縁に沿って形成された上記面状ファスナーの雌部１４に取着された第１係止姿勢Ｐ１と、上記面状ファスナーの雄部１３が、左右方向中間部に形成された上記面状ファスナーの雌部８に取着された第２係止姿勢Ｐ２とに、切換自在であるので、洗濯物Ｌの大きさや種類に応じて、コンパクトに折畳んで全体の幅寸法Ｗ０を小さくできる第２係止姿勢Ｐ２を選択できる。また、第２係止姿勢Ｐ２で、拡幅部５の左右側端部１５，１５を側内方へ大きく折り返して係止できる為、洗濯物Ｌを確実に保持でき、洗濯物Ｌが側外方へはみ出るのを防止できる。
【符号の説明】
【００２１】
１  通水シート部材
５  拡幅部
６  係止ベルト
７  面状ファスナーの雄部
８  面状ファスナーの雌部
１０  一端縁部
１３  面状ファスナーの雄部
１４  面状ファスナーの雌部
１５  左右側端部
１６  係止手段
２０  巻設保持手段
Ｍ０  平面展開状態
Ｍ１  巻設状態
Ｌ  洗濯物
Ｐ１  第１係止姿勢
Ｐ２  第２係止姿勢
Ｗ  幅寸法
【図１】
0006371752.tif 000002
【図２】
0006371752.tif 000003
【図３】
0006371752.tif 000004
【図４】
0006371752.tif 000005
【図５】
0006371752.tif 000006